(57)【要約】      （修正有）【課題】ＵＳＢ２．０伝送端子とＵＳＢ３．０伝送端子を整合することができるプラグコネクターを提供すること。【解決手段】第１部材１と、第２部材２と、外部カバーとを備え、該第１部材は、第１絶縁本体１１と該第１絶縁本体に嵌め込まれる複数の第１端子１２を有し、該第２部材は、該第１部材と結合されると共に、第２絶縁本体２１と、該第１端子と交差配列される複数の第２端子２２を有し、該外部カバーは、該第１部材と該第２部材の外部に設けられ、該第１端子は、ＵＳＢ２．０伝送端子であり、該第２端子は、ＵＳＢ３．０伝送端子であることを特徴とする。【選択図】図２
0003151486.tif 000002
【実用新案登録請求の範囲】
【請求項１】
第１部材と、第２部材と、外部カバーとを備え、
該第１部材は、第１絶縁本体と複数の第１端子を有し、該第１絶縁本体の前端に平面部が形成され、中央に凹部が形成され、後端に複数の第１凹溝が形成され、該後端に近く該凹部に複数の押圧部材が設けられ、該凹部に近く該後端に少なくとも１つの固定ロッドが設けられ、該第１凹溝に対する該後端の他面に複数の設置部が設けられ、該第１端子が該第１絶縁本体に嵌め込まれ、その前端が該平面部に位置されると共に、その上に突出部が設けられ、その後端が該設置部に位置されると共に、その上に溶接部が設けられ、
該第２部材は、該第１部材と結合されると共に、第２絶縁本体と、該第１端子と交差配列される複数の第２端子を有し、該第２絶縁本体には、該第２端子と対応する複数の第２凹溝と、該固定ロッドと対応する少なくとも１つの固定孔が形成され、該第２端子は、該第２凹溝に設けられ、その前端がフック状構造であると共に、その湾曲箇所に突出球面が設けられ、後端に溶接部が設けられ、
該外部カバーは、該第１部材と該第２部材の外部に設けられることを特徴とするプラグコネクター。
【請求項２】
前記複数の第１端子の中央における第１端子の溶接部は、外側ヘ向かって湾曲され、外側における第１端子の溶接部は、内側へ向かって湾曲されることを特徴とする請求項１に記載のプラグコネクター。
【請求項３】
前記第２端子の中央における第２端子の溶接部は、直線状の構造であり、外側における第２端子の溶接部は、内側へ向かって湾曲されることを特徴とする請求項１又は２に記載のプラグコネクター。
【請求項４】
前記第１端子の前端に下方へ向かって斜面部が設けられることを特徴とする請求項３に記載のプラグコネクター。
【請求項５】
前記平面部と凹部と対する該第１絶縁本体の他面に複数の貫通孔が形成されることを特徴とする請求項４に記載のプラグコネクター。
【請求項６】
前記貫通孔と同面である該第１絶縁本体に突出ブロックが設けられることを特徴とする請求項５に記載のプラグコネクター。
【請求項７】
前記第２部材に相隣する該外部カバーの一側に位置決め凸部が設けられ、該第２絶縁本体に該位置決め凸部と対応する位置決め凹部が形成されることを特徴とする請求項６に記載のプラグコネクター。
【請求項８】
前記第１端子の数量は、４本であり、該第２端子の数量は、５本であることを特徴とする請求項２に記載のプラグコネクター。
【請求項９】
前記第１端子は、USB2.0伝送端子であり、該第２端子は、USB3.0伝送端子であることを特徴とする請求項１に記載のプラグコネクター。
【請求項１０】
前記第１端子は、USB2.0伝送端子であり、該第２端子は、USB3.0伝送端子であることを特徴とする請求項７に記載のプラグコネクター。
【考案の詳細な説明】
【技術分野】
【０００１】
本考案は、特にUSB2.0伝送端子とUSB3.0伝送端子を整合することができるプラグコネクターに関するものである。
【背景技術】
【０００２】
USB（Universal Serial Bus：ユニバーサル・シリアル・バス）は、コンピュータに周辺機器を接続するためのシリアルバス規格の一つである。
最初の規格となるUSB1.0は1996年に登場した。現在のパーソナルコンピュータ及びその周辺において、最も普及した汎用インターフェイス規格の1つである。
更に、インテルから発表したUSB2.0の登場によって転送速度とシステム負荷の軽減に大幅な向上がみられ、高速転送が必要なために従来のIDEやSCSIなど・IEEE1394・イーサネット（登録商標）などが必要だった機器との接続にも用いられている。
故に、USBメモリー、プリンタ又はマウスなど周辺機器にUSB伝送インターフェイスがよく使用されている。尚、このUSB伝送インターフェイスはよく使用されるため、特に特許文献や非特許文献に記載されていない。
【考案の概要】
【考案が解決しようとする課題】
【０００３】
伝送ファイルの容量の膨大化に伴い、USB2.0の伝送インターフェイスは、制御チップと様々な原因によって既に使用の需要に満足できないので、新たなUSB3.0伝送インターフェイスが開発された。
USB3.0伝送インターフェイスは、既にある構造と特徴を有する以上、伝送スピードがUSB2.0伝送インターフェイスの１０倍でもあり、そして省エネの効果を有する。故に、USB2.0伝送端子とUSB3.0伝送端子を整合することができるプラグコネクターを開発できれば、未来の需要を満足できる。
【０００４】
そこで、案出されたのが本考案であって、USB2.0伝送端子とUSB3.0伝送端子を整合することができるプラグコネクターを提供することを目的としている。
【課題を解決するための手段】
【０００５】
本願の請求項１の考案は、第１部材と、第２部材と、外部カバーとを備え、
該第１部材は、第１絶縁本体と複数の第１端子を有し、該第１絶縁本体の前端に平面部が形成され、中央に凹部が形成され、後端に複数の第１凹溝が形成され、該後端に近く該凹部に複数の押圧部材が設けられ、該凹部に近く該後端に少なくとも１つの固定ロッドが設けられ、該第１凹溝に対する該後端の他面に複数の設置部が設けられ、該第１端子が該第１絶縁本体に嵌め込まれ、その前端が該平面部に位置されると共に、その上に突出部が設けられ、その後端が該設置部に位置されると共に、その上に溶接部が設けられ、
該第２部材は、該第１部材と結合されると共に、第２絶縁本体と、該第１端子と交差配列される複数の第２端子を有し、該第２絶縁本体には、該第２端子と対応する複数の第２凹溝と、該固定ロッドと対応する少なくとも１つの固定孔が形成され、該第２端子は、該第２凹溝に設けられ、その前端がフック状構造であると共に、その湾曲箇所に突出球面が設けられ、後端に溶接部が設けられ、
該外部カバーは、該第１部材と該第２部材の外部に設けられることを特徴とするプラグコネクター、を提供する。
【０００６】
本願の請求項２の考案は、前記複数の第１端子の中央における第１端子の溶接部は、外側ヘ向かって湾曲され、外側における第１端子の溶接部は、内側へ向かって湾曲されることを特徴とする請求項１に記載のプラグコネクター、を提供する。
【０００７】
本願の請求項３の考案は、前記第２端子の中央における第２端子の溶接部は、直線状の構造であり、外側における第２端子の溶接部は、内側へ向かって湾曲されることを特徴とする請求項１又は２に記載のプラグコネクター、を提供する。
【０００８】
本願の請求項４の考案は、前記第１端子の前端に下方へ向かって斜面部が設けられることを特徴とする請求項３に記載のプラグコネクター、を提供する。
【０００９】
本願の請求項５の考案は、前記平面部と凹部と対する該第１絶縁本体の他面に複数の貫通孔が形成されることを特徴とする請求項４に記載のプラグコネクター、を提供する。
【００１０】
本願の請求項６の考案は、前記貫通孔と同面である該第１絶縁本体に突出ブロックが設けられることを特徴とする請求項５に記載のプラグコネクター、を提供する。
【００１１】
本願の請求項７の考案は、前記第２部材に相隣する該外部カバーの一側に位置決め凸部が設けられ、該第２絶縁本体に該位置決め凸部と対応する位置決め凹部が形成されることを特徴とする請求項６に記載のプラグコネクター、を提供する。
【００１２】
本願の請求項８の考案は、前記第１端子の数量は、４本であり、該第２端子の数量は、５本であることを特徴とする請求項２に記載のプラグコネクター、を提供する。
【００１３】
本願の請求項９の考案は、前記第１端子は、USB2.0伝送端子であり、該第２端子は、USB3.0伝送端子であることを特徴とする請求項１に記載のプラグコネクター、を提供する。
【００１４】
本願の請求項１０の考案は、前記第１端子は、USB2.0伝送端子であり、該第２端子は、USB3.0伝送端子であることを特徴とする請求項７に記載のプラグコネクター、を提供する。
【考案の効果】
【００１５】
本考案は上記の課題を解決するものであり、USB2.0伝送端子である第１端子と、USB3.0伝送端子である第２端子を有するので、本考案のプラグコネクターは、USB2.0伝送端子とUSB3.0伝送端子を整合することができる、且つ第１端子と第２端子は、互いに交差配列であるので、互いの干渉を防止することができ、各端子の溶接部の距離を減少するため、高周波伝送効果を維持することができる。
【図面の簡単な説明】
【００１６】
【図１】本考案に係るプラグコネクターの分解図である。
【図２】図１に示したプラグコネクターの一部分解斜視図である。
【図３】図１に示したプラグコネクターの他の一部分解斜視図である。
【図４】図２に示した第１部材と第２部材の組合状態を示す斜視図である。
【図５】図３に示した第１部材と第２部材の組合状態を示す斜視図である。
【図６】図４のA-A線断面図である。
【図７】図５に示した第１端子と第２端子の交差状態を示す平面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１乃至図６に示すように、本考案に係わるプラグコネクターは、第１部材（１）と、第２部材（２）と、外部カバー（３）とを備え、該第１部材（１）は、第１絶縁本体（１１）と複数の第１端子（１１）を有し、該第１絶縁本体（１１）の前端に平面部（１１１）が形成され、中央に凹部（１１２）が形成され、後端に複数の第１凹溝（１１３）が形成され、該後端に近く該凹部（１１２）に複数の押圧部材（１１４）が設けられ、該凹部（１１２）に近く該後端に少なくとも１つの固定ロッド（１１５）が設けられ、該第１凹溝（１１３）に対する該後端の他面に複数の設置部（１１６）が設けられ、該第１端子が該第１絶縁本体（１１）に嵌め込まれ、その前端が該平面部（１１１）に位置されると共に、その上に突出部（１２１）が設けられ、その後端が該設置部（１１６）に位置されると共に、その上に溶接部（１２２）が設けられる。
【００１９】
該第２部材（２）は、該第１部材（１）と結合されると共に、第２絶縁本体（２１）と、該第１端子と交差配列される複数の第２端子（２２）を有し、該第２絶縁本体（２１）には、該第２端子（２２）と対応する複数の第２凹溝（２１１）と、該固定ロッド（１１５）と対応する少なくとも１つの固定孔（２１２）が形成され、該第２端子（２２）は、該第２凹溝（２１１）に設けられ、その前端がフック状構造であると共に、その湾曲箇所に突出球面（２２１）が設けられ、後端に溶接部（２２３）が設けられる。
【００２０】
該外部カバー（３）は、該第１部材（１）と該第２部材（２）の外部に設けられる。
【００２１】
図２、図３及び図５に示すように、該平面部（１１１）と凹部（１１２）と対する該第１絶縁本体（１１）の他面に複数の貫通孔（１１７）が形成され、該第１端子（１２）が該第１絶縁部材（１１）に嵌め込まれると、該貫通孔（１１７）に通じて該第１端子（１２）をモールドに固定させることができ、故に該第１端子（１２）が射出形成の時に位置ずれという問題を防止できる。
【００２２】
該貫通孔（１１７）と同面である該第１絶縁本体（１１）に突出ブロック（１１８）が設けられることにより、組合作業時の誤作業を防止することができる。
【００２３】
図２及び図４に示すように、該第１端子（１２）の前端に下方へ向かって斜面部（１２３）が設けられ、該第１端子（１２）が該第１絶縁本体（１１１）に嵌め込まれる際、該斜面部（１２３）が該平面部（１１１）に位置決められることにより、該第１端子（１２）の変形などの問題を防止できる。
【００２４】
図２及び図３に示すように、本実施例における該第１端子（１２）の数量は、４本であり、中央における２本の第１端子（１２）の溶接部（１２２）は、外側ヘ向かって湾曲され、外側における２本の第１端子（１２）の溶接部（１２２）は、内側へ向かって湾曲され、これにより、各溶接部（１２２）同士の距離を縮減すると共に、高周波伝送の効果を向上することができる。
【００２５】
本実施例における第２端子（２２）の数量は、５本であり、中央における２本の第２端子（２２）の溶接部（２２３）は、直線状の構造であり、外側における２本の第２端子（２２）の溶接部（２２３）は、内側へ向かって湾曲されることにより、各溶接部（２２３）同士の距離を縮減すると共に、高周波伝送の効果を向上することができる。
【００２６】
該第１端子（１２）の溶接部（１２２）と該第２端子（２２）の溶接部（２２３）は、粒粒の面が設けられ、該粒粒の面に複数の突出顆粒や刻紋が設けられることにより、はんだの付着効果を向上することができる。
【００２７】
図１及び図４に示すように、該第２部材（２）に相隣する該外部カバー（３）の一側に位置決め凸部（３１）が設けられ、該第２絶縁本体（２１）に該位置決め凸部（２１）と対応する位置決め凹部（２１３）が形成され、組み合わせた該第１部材（１）と第２部材（２）が該外部カバー（３）に設置すると、該位置決め凸部（３１）が該位置決め凹部（２１３）に位置されることにより、位置決め効果を得る。
【００２８】
図２乃至図７に示すように、該第１端子（１２）は、嵌込式射出方式によって該第１絶縁本体（１１）に設置されることにより、該第１部材（１）を製造し、該第２端子（２２）は、該第２絶縁本体（２１）の第２凹溝（２１１）に設けられることにより、該第２部材（２）を製造する。
【００２９】
該固定孔（２１２）と固定ロッド（１１５）との組合により、該第２部材（２）と第１部材（１）を組み合わせ、該第２端子（２２）の溶接部（２２３）が該第１凹溝（１１３）に位置決められ、本実施例におけて、該第１凹溝（１１３）の数量は、該第２端子（２２）の数量と対応し、即ち五つである。
【００３０】
該第２部材（２）と第１部材（１）を組み合わせた後、該第２端子（２２）と第１端子（１２）が交差するように配列されるので、互いに干渉しなく、且つ高周波伝送の効率や品質に影響を与えない。更に、該押圧部材（１１４）の数量も五つであるので、該第２端子（２２）の湾曲部（２２２）を押圧することにより、該第２端子（２２）の位置ずれを防止できる。
【００３１】
又、本考案に係わるプラグコネクターは、該第１端子（１２）の前端における凸部（１２１）又は該第２端子（２２）の前端における突出球面（２２１）がソケットコネクター（符号なし）の端子と接触することにより、接触不良や不良な伝送効果を防止することができる。又、該凸部（１２１）と突出球面（２２１）の接触面積が小さいため、メッキ面積も小さくなるので、メッキコストを降下するという効果を有する。
【産業上の利用可能性】
【００３２】
本考案は上記の構成を有し、該第１端子は、USB2.0伝送端子であり、該第２端子は、USB3.0伝送端子であるので、本考案のプラグコネクターは、USB2.0伝送端子とUSB3.0伝送端子を整合することができる、且つ第１端子と第２端子は、互いに交差配列であるので、互いの干渉を防止することができ、各端子の溶接部の距離を減少するため、高周波伝送効果を維持することができる。
【符号の説明】
【００３３】
１          第１部材
１１        第１絶縁本体
１１１      平面部
１１２      凹部
１１３      第１凹溝
１１４      押圧部材
１１５      固定ロッド
１１６      設置部
１１７      貫通孔
１１８      突出ブロック
１２        第１端子
１２１      突出部
１２２      溶接部
１２３      斜面部
２          第２部材
２１        第２絶縁部材
２１１      第２凹溝
２１２      固定孔
２１３      位置決め凹部
２２        第２端子
２２１      突出球面
２２２      湾曲部
２２３      溶接部
３          外部カバー
３１        位置決め凸部
【図１】
0003151486.tif 000003
【図２】
0003151486.tif 000004
【図３】
0003151486.tif 000005
【図４】
0003151486.tif 000006
【図５】
0003151486.tif 000007
【図６】
0003151486.tif 000008
【図７】
0003151486.tif 000009